(57)【特許請求の範囲】
【請求項１】
中空部を有した本体と、前記本体の前記中空部の開口端の外周に回転自在に係着される円筒状の雌ねじと、端面が平面にカットされた同軸ケーブルを内挿でき、その内挿後に前記同軸ケーブルを固定手段によって堅持し、かつ前記雌ねじとの結合が強まるにつれて前記本体側へ移動する円筒状の締付金具と、前記同軸ケーブルの中実内部導体に対して先端面が圧接可能に配設される押圧部材を移動可能に内嵌して前記本体の前記中空部内の軸心部に設置されるコネクタ側内部導体と、前記本体の前記中空部内において前記押圧部材と絶縁されながら同軸に配設され、前記同軸ケーブルの波形外部導体の切断端面に食い込む少なくとも１つの突起を備えたカラーとを具備することを特徴とする同軸ケーブル用コネクタ。
【請求項２】
前記押圧部材は、前記コネクタ側内部導体内に配設された附勢部材によって前記同軸ケーブル方向に附勢されることを特徴とする請求項１記載の同軸ケーブル用コネクタ。
【請求項３】
同軸ケーブルの内部導体、絶縁体、外部導体、及びシースを切断して前記同軸ケーブルの中心軸と直交する平面を形成する段階と、
中心軸上に内部導体機構を有する本体に外嵌するナットとねじ係合する締付金具の中空部に前記平面を形成された前記同軸ケーブルを内挿して前記締付金具を前記同軸ケーブルの外周面に固定する段階と、
前記ナットを締め方向へ回転させることにより前記本体を前記同軸ケーブルの前記平面に近接させる軸方向に移動させ、この移動により前記本体の内部に前記内部導体機構と絶縁して配置された切刃カラーの切刃を前記軸方向に移動させて前記切刃を前記平面における前記外部導体に食い込ませ、かつ、前記内部導体機構の押圧部材を前記同軸ケーブルの前記平面における前記内部導体に圧接させる段階を有することを特徴とする同軸ケーブルへのコネクタの接続方法。
【発明の詳細な説明】
【０００１】
【発明の属する技術分野】
本発明は、通信用同軸ケーブルの接続に用いられるコネクタ、特に、外部導体が筒状を成し、内部導体が棒状を成す構造の同軸ケーブルに用いるに最適な同軸ケーブル用コネクタに関するものである。
【０００２】
【従来の技術】
図７は従来の同軸ケーブル用コネクタを示す断面図である。
同軸ケーブル２０１は、図８に示すように、芯線となる内部導体２０２、この内部導体２０２の外側に同軸に形成される絶縁体２０３、この絶縁体２０３の外側に設けられる波付けの外部導体２０４、この外部導体２０４を被覆するシース２０５から構成されている。
【０００３】
同軸ケーブル２０１に接続されるコネクタ２０６は、図７に示すように、内部導体２０２の先端部が挿入される内部導体２０７、この内部導体２０７の外側に設けられて外部導体２０４の先端部に当接するように絶縁リング２０８を介して配設されるワッシャ２０９、同軸ケーブル２０１の外部導体２０４を取り巻くように配設されるカラー２１０、これらの各部材を覆うように設けられる外筺部２１１、この外筺部２１１にねじ込まれる締め付けリング２１２、この締め付けリング２１２とカラー２１０との間に配設されるゴムリング２１３の各々を備えて構成されている。
【０００４】
このコネクタ２０６を同軸ケーブル２０１に装着するに際しては、まず、同軸ケーブル２０１を図８の様に加工する。この場合、内部導体２０２の露出長さを正確に切り出す。また、締め付けリング２１２は末装着にしておく。次に、締め付けリング２１２及びゴムリング２１３を同軸ケーブル２０１のシース２０５に外嵌し、更に外部導体２０４にカラー２１０及びワッシャ２０９を外嵌する。この状態のまま、同軸ケーブル２０１の内部導体２０２の先端をコネクタ２０６の内部導体２０７の凹部に挿入し、内部導体２０７と同軸ケーブル２０１の内部導体２０２の電気的接続を行う。そして、同軸ケーブル２０１の全体がそれ以上押し込めなくなった時点で外筺部２１１内にゴムリング２１３を押し込み、更に、締め付けリング２１２をねじ込むことにより装着が完了する。
【０００５】
【発明が解決しようとする課題】
しかし、上記した従来技術にあっては、以下のような問題を有している。
（１）  同軸ケーブルにコネクタを取り付ける際、事前にケーブルの寸法出し加工が必要であるため、ケーブルの外部導体と内部導体をコネクタにワンタッチで接続することができない。
（２）  同軸ケーブルの外部導体とコネクタの外部導体を接続する際、同軸ケーブルのシースを剥ぐ必要がある。
（３）  同軸ケーブルの内部導体とコネクタの内部導体とを接続する際、同軸ケーブルの内部導体を絶縁層より長い寸法に加工し、取付時には半田付け、ねじ締め、或いは内部導体を覆うように挿入させる構造にする必要がある。
【０００６】
そこで本発明は、同軸ケーブルにコネクタをワンタッチで取り付けることのできる同軸ケーブル用コネクタを提供することを目的としている。
【０００７】
【課題を解決するための手段】
上記の目的を達成するために、この発明は、中空部を有した本体と、前記本体の前記中空部の開口端の外周に回転自在に係着される円筒状の雌ねじと、端面が平面にカットされた同軸ケーブルを内挿でき、その内挿後に前記同軸ケーブルを固定手段によって堅持し、かつ前記雌ねじとの結合が強まるにつれて前記本体側へ移動する円筒状の締付金具と、前記同軸ケーブルの中実内部導体に対して先端面が圧接可能に配設される押圧部材を移動可能に内嵌して前記本体の前記中空部内の軸心部に設置されるコネクタ側内部導体と、前記本体の前記中空部内において前記押圧部材と絶縁されながら同軸に配設され、前記同軸ケーブルの波形外部導体の切断端面に食い込む少なくとも１つの突起を備えたカラーとを具備した構成にしている。
また、本発明は上記の目的を達成するため、同軸ケーブルの内部導体、絶縁体、外部導体、及びシースを切断して前記同軸ケーブルの中心軸と直交する平面を形成する段階と、
中心軸上に内部導体機構を有する本体に外嵌するナットとねじ係合する締付金具の中空部に前記平面を形成された前記同軸ケーブルを内挿して前記締付金具を前記同軸ケーブルの外周面に固定する段階と、
前記ナットを締め方向へ回転させることにより前記本体を前記同軸ケーブルの前記平面に近接させる軸方向に移動させ、この移動により前記本体の内部に前記内部導体機構と絶縁して配置された切刃カラーの切刃を前記軸方向に移動させて前記切刃を前記平面における前記外部導体に食い込ませ、かつ、前記内部導体機構の押圧部材を前記同軸ケーブルの前記平面における前記内部導体に圧接させる段階を有することを特徴とする同軸ケーブルへのコネクタの接続方法を提供する。
【０００８】
この構成によれば、同軸ケーブルに締付金具を外嵌し、これを同軸ケーブルに締め付けた後、本体側に挿入し、本体側に設けられた雌ねじと締付金具とを螺合させる。この螺合が強まるにつれ、締付金具及び同軸ケーブルはコネクタの本体内へ進入する。その過程で、同軸ケーブルの外部導体にカラーの突起が食い込み、同軸ケーブルの内部導体に押圧部材の先端面が圧接する。この結果、コネクタの装着がワンタッチで行え、かつ確実な接続が可能になる。
【０００９】
そして、前記押圧部材は、前記コネクタ側内部導体内に配設された附勢部材によって前記同軸ケーブル方向に附勢されている。
この構成によれば、コネクタ側内部導体内に配設された附勢部材は、同軸ケーブル方向に押し出すような附勢力を押圧部材に付与する。この結果、押圧部材の先端面は常に同軸ケーブルの内部導体に圧接し、確実な電気的接触が得られる。また、誰が装着しても、接触状態にばらつきを生じることがない。
【００１０】
【発明の実施の形態】
図１は本発明による同軸ケーブル用コネクタの一実施の形態を示す断面図である。
図１に示すように、本発明によるコネクタ１００は、同軸ケーブル２０１の外径にほぼ等しい内径を有する筒状の締付金具１０１、この締付金具１０１の中央部に設けられた溝１０２内に嵌入されるＯリング１０３、締付金具１０１の外周面に取り付けられるクランプ１０４，１０５、締付金具１０１の一端にねじ結合されるリング状のナット１０６、このナット１０６を一端の外周部に装着した本体１０７、この本体１０７の端部のナット１０６に対向する部位に配設される図２に示す構成の切刃カラー１０８、この切刃カラー１０８に隣接かつ同軸に配置されるリング状の絶縁体１０９、この絶縁体１０９と同軸にして本体１０７の他端の内部に配設される小径の絶縁体１１０、及び図３に示す内部導体機構の各々を備えて構成される。ここで、絶縁体１０９と絶縁体１１０は、後記する内部導体機構を支持する働きをする。
【００１１】
図２に示すように、切刃カラー１０８は同軸ケーブル側に複数の切刃（３角形の突起）１０８ａが設けられており、（ａ）図は側面図であり、（ｂ）図は（ａ）図のＡ−Ａ断面図である。
図３に示すように、内部導体機構は、糸巻形の断面形状を有して軸心部に配設される押しピン１１１（押圧部材）、この押しピン１１１を一端に内挿する中空部１１２が一端に形成されると共に他端にスリット１１３ｂを有した中空溝１１３ａが形成された内部導体１１３、中空溝１１３ａに挿入された押しピン１１１の奥部に内装されて押しピン１１１を押し出す附勢力を持つコイルスプリング１１４（附勢部材）、締付金具１０１の胴部に嵌入されて内部導体１１３の内面との電気的接続を確実にする接続ばね１１５の各々を備えて構成されている。接続ばね１１５は、図４に示すように中央部が膨出し、円周方向に一定間隔にスリット１１５ａが設けられた構成を有している。そして、接続ばね１１５は押しピン１１１に外嵌され、その一端は押しピン１１１の端部に固定されている。
【００１２】
以上の構成において、同軸ケーブル２０１とコネクタ１００を接続する場合、同軸ケーブル２０１の端部を図５に示すように処理する。すなわち、ケーブル端部は、鋸やカッターでフラットにカットされ、従来のようにシース２０５を剥いで外部導体２０４を露出させたり、内部導体２０２を所定の長さにカットする処理は不必要になる。
【００１３】
このように処理した同軸ケーブル２０１に締付金具１０１を適当な位置まで嵌め込み、クランプ１０４，１０５を締め付けて固定する。この状態のまま、同軸ケーブル２０１をナット１０６に位置合わせし、ナット１０６を締め方向へ回転させる。この回転に伴って締付金具１０１は本体１０７に進入して行く過程で、外部導体２０４に切刃カラー１０８の切刃１０８ａが図６に示す様に食い込み、外部導体２０４と切刃カラー１０８の電気的な接続が行われる。このとき、シース２０５が外部導体２０４と切刃カラー１０８の間に挟み込まれたとしても、締付金具１０１が締め込まれる過程で切刃１０８ａがシース２０５を切断し、外部導体２０４と切刃カラー１０８の電気的接触が可能になる。また、内部導体２０２はコイルスプリング１１４によって附勢されている押しピン１１１の端面に圧接し、両者の電気的接続が行われる。このとき、接続ばね１１５は押しピン１１１と内部導体１１３の接続を確実にし、接触不良の発生を防止するように機能する。
【００１４】
以上のように、本発明によれば、同軸ケーブル２０１の端部を平面状態にカットし、これに締付金具１０１を嵌め込み、コネクタ本体１０７に挿入し、締付金具１０１とコネクタ本体１０７を結合するためのナット１０６を回転させるのみでコネクタの装着が完了する。この結果、コネクタの装着がワンタッチで行え、放送設備、通信設備等におけるケーブル事故の発生時の緊急復旧対策用に用いた場合、装着が迅速に行え、しかも取扱者が変わっても特性に個人差が生ぜず、確実に装着することができる。
【００１５】
【発明の効果】以上より明らかな如く、本発明によれば、同軸ケーブルに締付金具を外嵌し、これを同軸ケーブルに締め付けた後に本体側に挿入し、本体側に設けられた雌ねじと締付金具とを螺合させ、その螺合が強まるにつれ、締付金具及び同軸ケーブルはコネクタの本体内へ進入できるようにし、その進入過程で同軸ケーブルの波型の外部導体にカラーの突起が食い込み、かつ同軸ケーブルの中実の内部導体には押圧部材の先端面が圧接する構成にしたので、コネクタの装着がワンタッチで行え、かつ確実な接続が可能になる。
【図面の簡単な説明】
【図１】本発明の同軸ケーブル用コネクタの一実施の形態を示す断面図である。
【図２】本発明にかかる切刃カラーを示し、（ａ）は側面図であり、（ｂ）は（ａ）のＡ−Ａ断面図である。
【図３】本発明にかかる内部導体機構の構成を示す断面図である。
【図４】図３に示す押しピン及び接続ばねの構成を示す斜視図である。
【図５】本発明における同軸ケーブルの端末処理を示す断面図である。
【図６】切刃カラーの切刃が同軸ケーブルの外部導体に食い込んだ状態を示す斜視図である。
【図７】従来の同軸ケーブル用コネクタを示す断面図である。
【図８】従来の同軸ケーブル用コネクタに接続される同軸ケーブルの端末処理後の状態を示す断面図である。
【符号の説明】
１０１  締付金具
１０４，１０５  クランプ
１０６  ナット
１０７  本体
１０８  切刃カラー
１０８ａ  切刃
１１１  押しピン
１１３  内部導体
１１４  コイルスプリング
１１５  接続ばね
２０１  同軸ケーブル
２０２  内部導体
２０４  外部導体
２０５  シース
【図１】
0003540876.tif 000002
【図２】
0003540876.tif 000003
【図３】
0003540876.tif 000004
【図４】
0003540876.tif 000005
【図５】
0003540876.tif 000006
【図６】
0003540876.tif 000007
【図７】
0003540876.tif 000008
【図８】
0003540876.tif 000009